(57)【要約】【課題】本発明はマッキング機能を有する重量測定装置を開示した。【解決手段】駆動機構を含み、前記駆動機構は箱体を含み、前記箱体の中には駆動チャンバが設置され、前記駆動チャンバの後側内壁の中には第一モータが固定的に装着され、前記駆動チャンバの中には第一プーリと第二プーリが設置され、前記第二プーリと前記第一プーリには貨物送り機構が連結され、前記貨物送り機構は左右対称に設置された作動チャンバと伝送板とを含み、前記作動チャンバの中には止めスリーブと伝動輪とが設置され、前記伝送板の中には従動輪と主動輪とが設置され、前記従動輪と前記主動輪との間には伝送ベルトが連結され、前記貨物送り機構はまたシリンダーと噛合歯車を含み、前記止めスリーブは前記噛合歯車を止められる。【選択図】図１
2020177006.tif 000002
【特許請求の範囲】
【請求項１】
正面視で、マッキング機能を有する重量測定装置であって、駆動機構を含み、前記駆動機構は箱体を含み、前記箱体の中には駆動チャンバが設置され、前記駆動チャンバの後側内壁の中には第一モータが固定的に装着され、前記駆動チャンバの中には第一プーリと第二プーリが設置され、前記第二プーリと前記第一プーリには貨物送り機構が連結され、前記貨物送り機構は左右対称に設置された作動チャンバと伝送板とを含み、前記作動チャンバの中には止めスリーブと伝動輪とが設置され、前記伝送板の中には従動輪と主動輪とが設置され、前記従動輪と前記主動輪との間には伝送ベルトが連結され、前記貨物送り機構はまたシリンダーと噛合歯車を含み、前記止めスリーブは前記噛合歯車を止められ、前記駆動機構の前側には計量機構が設置され、前記計量機構は前記箱体の中に左右に貫通するように設置された通し溝を含み、前記通し溝の底壁には計量溝が連通するように設置され、前記通し溝の中には計量台が設置され、前記計量溝の中にはネジロッドが設置され、前記ネジロッドには位置制限ブロックが固定的に装着され、前記計量溝の底壁の中にはスライド棒チャンバが連通するように設置され、前記スライド棒チャンバの底壁の中にはセンサが固定的に設置され、前記計量機構は処理装置と表示装置とを含み、前記駆動機構の上側には押し機構が設置され、前記押し機構は方向転換チャンバとウォームホイール軸とを含み、前記通し溝の前側には付番機構が設置され、前記付番機構は下伝動チャンバと印刷チャンバとを含み、前記下伝動チャンバの底壁の中には第二モータが設置され、前記下伝動チャンバの中には副プーリが設置され、前記印刷チャンバの中には方形輪と第一紙巻き輪とが設置され、前記印刷チャンバの中には方形輪と付番輪とが設置され、前記第一紙巻き輪と第二紙巻き輪との間には前記方形輪に被られた印刷紙が連結されていることを特徴とするマッキング機能を有する重量測定装置。
【請求項２】
前記箱体の底部端面には支持脚が左右対称に固定的に装着され、前記支持脚の底部端面には支持板が固定的に装着され、前記第一モータの前側の出力軸の前側端面には主軸が伝動可能に連結され、前記主軸には押し主傘歯車が固定的に装着され、前記主軸の前側には前記第一プーリが固定的に装着され、前記第二プーリが前記主軸に固定的に装着され、且つ前記第一プーリの前側に位置しており、左右の前記作動チャンバと前記駆動チャンバとの間には連通したベルト溝が設置されていることを特徴とする請求項１に記載のマッキング機能を有する重量測定装置。
【請求項３】
左右の前記作動チャンバの前側には置き溝が左右対称に設置され、前記伝送板が前記置き溝の中に設置され、左右の前記伝送板の中には伝送溝が設置され、左右の前記伝動板のうち相対した側の前後端面には支持軸が対称的に回転可能に装着され、前記伝送板と前記箱体とが回転可能に装着され、後側の前記支持軸が後に伸びて左右の前記作動チャンバの中に位置しており、前記噛合歯車が後側の前記支持軸の後側端面に固定的に装着され、前記噛合歯車には歯車止め溝が設置され、前記作動チャンバの中にはスプライン軸が回転可能に装着され、前記スプライン軸と前記噛合歯車とが回転可能に連結され、前記伝動輪が前記スプライン軸に固定的に装着され、左側の前記伝動輪と前記第二プーリとの間には第一ベルトが連結され、右側の前記伝動輪と前記第一プーリとの間には第二ベルトが連結され、前記止めスリーブが前記スプライン軸にスライド可能に装着され、前記歯車止め溝が前記止めスリーブの中に設置され、前記歯車止め溝の左右内壁の中には止めピン溝が対称的に設置され、前記止めピン溝の中には止めピンがスライド可能に装着され、前記止めピンのうち互いに離れた側の端面と、前記止めピン溝のうち互いに離れた側の内壁との間には押し動かしばねが固定的に装着され、前記作動チャンバのうち互いに離れた側の内壁の中にはスライド溝が連通するように設置され、前記スライド溝の中にはスライダーがスライド可能に装着され、前記シリンダーが前記スライド溝の前側内壁の中に設置され、前記シリンダーの後側のピストン押棒にはシリンダー軸が固定的に連結され、前記シリンダー軸が前記スライダーに固定的に連結され、前記主動輪が上下の前記支持軸の間に固定的に装着され、左右の前記伝送板の前後内壁の間には補助軸が回転可能に装着され、前記従動輪が前記補助軸に固定的に装着されていることを特徴とする請求項１に記載のマッキング機能を有する重量測定装置。
【請求項４】
前記スライド棒チャンバの中にはスライド棒がスライド可能に装着され、前記スライド棒の頂部端面が前記計量台に固定的に連結され、前記計量台の底部端面と前記計量溝の底壁との間には減圧ばねが固定的に装着され、前記スライド棒の底部端面と前記センサの頂部端面との間には圧縮ばねが固定的に装着され、前記計量溝の底壁には調節台が固定的に装着され、前記ネジロッドが前記調節台にねじ山により連結され、前記計量溝の右側の内壁の斜壁には案内輪が一対に固定的に装着され、前記処理装置が前記計量溝の前側に固定的に装着され、前記表示装置が前記箱体の前側端面に固定的に装着されていることを特徴とする請求項１に記載のマッキング機能を有する重量測定装置。
【請求項５】
前記方向転換チャンバの上下内壁の間にはウォーム軸が回転可能に装着され、前記ウォーム軸の底端が前記駆動チャンバの中に位置しており、且つ前記ウォーム軸の底端には副傘歯車が固定的に装着され、前記副傘歯車と前記押し主傘歯車とが噛み合っており、前記ウォーム軸にはウォームが設置され、前記ウォームホイール軸が前記方向転換チャンバの前後内壁の間に回転可能に連結され、前記ウォームホイール軸にはウォームホイールが固定的に装着され、前記ウォームホイールと前記ウォームとが噛み合っており、前記ウォームホイール軸の前端が前記通し溝の中に位置しており、且つ前記ウォームホイール軸の前端には押し駆動棒クランクが固定的に装着され、前記通し溝の後側内壁には揺り軸がヒンジで連結され、前記揺り軸の上側末端には連結棒がヒンジで連結され、前記連結棒と前記押し駆動棒クランクとが回転可能に装着され、前記連結棒の左側末端には擦り板が固定的に装着され、前記押し駆動棒クランクと、前記連結棒と、前記揺り軸とが回転揺動機構に形成することを特徴とする請求項１に記載のマッキング機能を有する重量測定装置。
【請求項６】
前記下伝動チャンバが前記通し溝の前側に設置され、前記印刷チャンバが前記下伝動チャンバの上側に設置され、前記第二モータの上側の出力軸の上側端面には駆動軸が固定的に連結され、前記駆動軸には主平歯車が固定的に装着され、前記駆動軸が上に前記印刷チャンバの中に伸びて前記第二紙巻き輪と固定的に連結され、前記駆動軸の後側には保存輪軸が回転可能に装着され、前記第一紙巻き輪が前記保存輪軸に固定的に装着され、前記方形輪が前記保存輪軸の右側に回転可能に装着され、前記印刷紙が前記第一紙巻き輪に巻きつけられ、前記方形輪と前記第二紙巻き輪との間、及び前記方形輪と前記第一紙巻き輪との間において前記印刷紙の前後両側には印刷ヘッドが一対に固定的に装着され、前記印刷チャンバの右側内壁の中には右方に開口した出口が設置され、前記駆動軸の後側には連結軸が回転可能に装着され、前記連結軸には中間歯車が固定的に装着され、前記中間歯車と前記主平歯車とが噛み合っており、前記連結軸において前記中間歯車の上側には主プーリが固定的に装着され、前記下伝動チャンバと前記印刷チャンバとの間には転輪軸が回転可能に装着され、前記副プーリが前記転輪軸に固定的に装着され、前記副プーリと前記主プーリとの間にはベルトが連結され、前記付番輪が前記転輪軸のうち前記印刷チャンバの中に伸びた一端に固定的に設置されていることを特徴とする請求項１に記載のマッキング機能を有する重量測定装置。
【発明の詳細な説明】
【技術分野】
【０００１】
本発明は重量測定技術分野に関し、具体的にはマッキング機能を有する重量測定装置に関する。
【背景技術】
【０００２】
現在、多数の工場内で貨物の出入りの際に検査を行う時、一般に重量測定の方式で貨物を検査し、大型貨物の場合はトラックスケールで重量を測定し、小型の貨物は一般に携帯に便利な電子スケールを使うのであり、しかし、大きいとは言えなくてもいくつかの部分に分けられないサイズ上に微妙な貨物に対し、マッキング機能を持つ重量測定装置はないため、人力で貨物を載せる又は降ろすしかなく、時間と手数を無駄にし、重量測定が終わった後データを貨物と対応できなく、繰り返して重量を測定する現象になり、労働量を減らすために自動的に貨物を載せる又は降ろすマッキング機能を有する重量測定装置が実に必要になり、中央処理装置を使って装置の各部品を制御し、重量測定の終わった貨物をその重量データを一々対応すれば、専用空間を減らせる。
【先行技術文献】
【特許文献】
【０００３】
【特許文献１】中国特許出願公開第１０５８９０７３３号明細書
【発明の概要】
【発明が解決しようとする課題】
【０００４】
本発明の目的はマッキング機能を有する重量測定装置を提供し、上記背景技術に提出される問題を解決する。
【課題を解決するための手段】
【０００５】
本発明において提供する実施例は：マッキング機能を有する重量測定装置は、駆動機構を含み、前記駆動機構は箱体を含み、前記箱体の中には駆動チャンバが設置され、前記駆動チャンバの後側内壁の中には第一モータが固定的に装着され、前記駆動チャンバの中には第一プーリと第二プーリが設置され、前記第二プーリと前記第一プーリには貨物送り機構が連結され、前記貨物送り機構は左右対称に設置された作動チャンバと伝送板とを含み、前記作動チャンバの中には止めスリーブと伝動輪とが設置され、前記伝送板の中には従動輪と主動輪とが設置され、前記従動輪と前記主動輪との間には伝送ベルトが連結され、前記貨物送り機構はまたシリンダーと噛合歯車を含み、前記止めスリーブは前記噛合歯車を止められ、前記駆動機構の前側には計量機構が設置され、前記計量機構は前記箱体の中に左右に貫通するように設置された通し溝を含み、前記通し溝の底壁には計量溝が連通するように設置され、前記通し溝の中には計量台が設置され、前記計量溝の中にはネジロッドが設置され、前記ネジロッドには位置制限ブロックが固定的に装着され、前記計量溝の底壁の中にはスライド棒チャンバが連通するように設置され、前記スライド棒チャンバの底壁の中にはセンサが固定的に設置され、前記計量機構は処理装置と表示装置とを含み、前記駆動機構の上側には押し機構が設置され、前記押し機構は方向転換チャンバとウォームホイール軸とを含み、前記通し溝の前側には付番機構が設置され、前記付番機構は下伝動チャンバと印刷チャンバとを含み、前記下伝動チャンバの底壁の中には第二モータが設置され、前記下伝動チャンバの中には副プーリが設置され、前記印刷チャンバの中には方形輪と第一紙巻き輪とが設置され、前記印刷チャンバの中には方形輪と付番輪とが設置され、前記第一紙巻き輪と第二紙巻き輪との間には前記方形輪に被られた印刷紙が連結されている。
【０００６】
更なる技術方案、前記箱体の底部端面には支持脚が左右対称に固定的に装着され、前記支持脚の底部端面には支持板が固定的に装着され、前記第一モータの前側の出力軸の前側端面には主軸が伝動可能に連結され、前記主軸には押し主傘歯車が固定的に装着され、前記主軸の前側には第一プーリが固定的に装着され、前記第二プーリが前記主軸に固定的に装着され、且つ前記第一プーリの前側に位置しており、左右の前記作動チャンバと前記駆動チャンバとの間には連通したベルト溝が設置されている。
【０００７】
更なる技術方案、左右の前記作動チャンバの前側には置き溝が左右対称に設置され、前記伝送板が前記置き溝の中に設置され、左右の前記伝送板の中には伝送溝が設置され、左右の前記伝動板のうち相対した側の前後端面には支持軸が対称的に回転可能に装着され、前記伝送板と前記箱体とが回転可能に装着され、後側の前記支持軸が後に伸びて左右の前記作動チャンバの中に位置しており、前記噛合歯車が後側の前記支持軸の後側端面に固定的に装着され、前記噛合歯車には歯車止め溝が設置され、前記作動チャンバの中にはスプライン軸が回転可能に装着され、前記スプライン軸と前記噛合歯車とが回転可能に連結され、前記伝動輪が前記スプライン軸に固定的に装着され、左側の前記伝動輪と前記第二プーリとの間には第一ベルトが連結され、右側の前記伝動輪と前記第一プーリとの間には第二ベルトが連結され、前記止めスリーブが前記スプライン軸にスライド可能に装着され、前記歯車止め溝が前記止めスリーブの中に設置され、前記歯車止め溝の左右内壁の中には止めピン溝が対称的に設置され、前記止めピン溝の中には止めピンがスライド可能に装着され、前記止めピンのうち互いに離れた側の端面と、前記止めピン溝のうち互いに離れた側の内壁との間には押し動かしばねが固定的に装着され、前記作動チャンバのうち互いに離れた側の内壁の中にはスライド溝が連通するように設置され、前記スライド溝の中にはスライダーがスライド可能に装着され、前記シリンダーが前記スライド溝の前側内壁の中に設置され、前記シリンダーの後側のピストン押棒にはシリンダー軸が固定的に連結され、前記シリンダー軸が前記スライダーに固定的に連結され、前記主動輪が上下の前記支持軸の間に固定的に装着され、左右の前記伝送板の前後内壁の間には補助軸が回転可能に装着され、前記従動輪が前記補助軸に固定的に装着されている。
【０００８】
更なる技術方案、前記スライド棒チャンバの中にはスライド棒がスライド可能に装着され、前記スライド棒の頂部端面が前記計量台に固定的に連結され、前記計量台の底部端面と前記計量溝の底壁との間には減圧ばねが固定的に装着され、前記スライド棒の底部端面と前記センサの頂部端面との間には圧縮ばねが固定的に装着され、前記計量溝の底壁には調節台が固定的に装着され、前記ネジロッドが前記調節台にねじ山により連結され、前記計量溝の右側の内壁の斜壁には案内輪が一対に固定的に装着され、前記処理装置が前記計量溝の前側に固定的に装着され、前記表示装置が前記箱体の前側端面に固定的に装着されている。
【０００９】
更なる技術方案、前記方向転換チャンバの上下内壁の間にはウォーム軸が回転可能に装着され、前記ウォーム軸の底端が前記駆動チャンバの中に位置しており、且つ前記ウォーム軸の底端には副傘歯車が固定的に装着され、前記副傘歯車と前記押し主傘歯車とが噛み合っており、前記ウォーム軸にはウォームが設置され、前記ウォームホイール軸が前記方向転換チャンバの前後内壁の間に回転可能に連結され、前記ウォームホイール軸にはウォームホイールが固定的に装着され、前記ウォームホイールと前記ウォームとが噛み合っており、前記ウォームホイール軸の前端が前記通し溝の中に位置しており、且つ前記ウォームホイール軸の前端には押し駆動棒クランクが固定的に装着され、前記通し溝の後側内壁には揺り軸がヒンジで連結され、前記揺り軸の上側末端には連結棒がヒンジで連結され、前記連結棒と前記押し駆動棒クランクとが回転可能に装着され、前記連結棒の左側末端には擦り板が固定的に装着され、前記押し駆動棒クランクと、前記連結棒と、前記揺り軸とが回転揺動機構に形成する。
【００１０】
更なる技術方案、前記下伝動チャンバが前記通し溝の前側に設置され、前記印刷チャンバが前記下伝動チャンバの上側に設置され、前記第二モータの上側の出力軸の上側端面には駆動軸が固定的に連結され、前記駆動軸には主平歯車が固定的に装着され、前記駆動軸が上に前記印刷チャンバの中に伸びて前記第二紙巻き輪と固定的に連結され、前記駆動軸の後側には保存輪軸が回転可能に装着され、前記第一紙巻き輪が前記保存輪軸に固定的に装着され、前記方形輪が前記保存輪軸の右側に回転可能に装着され、前記印刷紙が前記第一紙巻き輪に巻きつけられ、前記方形輪と前記第二紙巻き輪との間、及び前記方形輪と前記第一紙巻き輪との間において前記印刷紙の前後両側には印刷ヘッドが一対に固定的に装着され、前記印刷チャンバの右側内壁の中には右方に開口した出口が設置され、前記駆動軸の後側には連結軸が回転可能に装着され、前記連結軸には中間歯車が固定的に装着され、前記中間歯車と前記主平歯車とが噛み合っており、前記連結軸において前記中間歯車の上側には主プーリが固定的に装着され、前記下伝動チャンバと前記印刷チャンバとの間には転輪軸が回転可能に装着され、前記副プーリが前記転輪軸に固定的に装着され、前記副プーリと前記主プーリとの間にはベルトが連結され、前記付番輪が前記転輪軸のうち前記印刷チャンバの中に伸びた一端に固定的に設置されている。
【発明の効果】
【００１１】
本発明の有益効果は：本発明は構造が簡単で、操作が便利で、貨物送り機構により貨物を運搬して労働量を減らすと同時に、計量が終わった後装置を収納でき、専用空間を減少し、付番機構により計量される貨物と計量のデータを一々対応し、よりよくデータを管理且つ分析でき、計量データが混合するのを防止でき、処理装置は各部品を制御し、本発明の作動性能を保証し、宣伝価値がある。
【図面の簡単な説明】
【００１２】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の全体構造略図
【図２】図２は図１におけるＡ―Ａ方向の断面構造略図
【図３】図３は図１におけるＢ―Ｂ方向の断面構造略図
【発明を実施するための形態】
【００１４】
本説明書によって公開されるすべての特徴、或いは公開されるすべての方法或いは過程中の順序は、互いに排斥する特徴或いは順序以外、いかなる方法で組み合わせる。
【００１５】
図１〜３を参照し、本発明は下記の実施例を提供する：マッキング機能を有する重量測定装置であって、駆動機構を含み、前記駆動機構は箱体１００を含み、前記箱体１００の中には駆動チャンバ５５が設置され、前記駆動チャンバ５５の後側内壁の中には第一モータ６３が固定的に装着され、前記駆動チャンバ５５の中には第一プーリ５８と第二プーリ５９が設置され、前記第二プーリ５９と前記第一プーリ５８には貨物送り機構が連結され、前記貨物送り機構は左右対称に設置された作動チャンバ４４と伝送板１５とを含み、前記作動チャンバ４４の中には止めスリーブ４５と伝動輪５１とが設置され、前記伝送板１５の中には従動輪１７と主動輪２０とが設置され、前記従動輪１７と前記主動輪２０との間には伝送ベルト１９が連結され、前記貨物送り機構はまたシリンダー４０と噛合歯車４８を含み、前記止めスリーブ４５は前記噛合歯車４８を止められ、前記駆動機構の前側には計量機構が設置され、前記計量機構は前記箱体１００の中に左右に貫通するように設置された通し溝２２を含み、前記通し溝２２の底壁には計量溝１０８が連通するように設置され、前記通し溝２２の中には計量台１２が設置され、前記計量溝１０８の中にはネジロッド２７が設置され、前記ネジロッド２７には位置制限ブロック１３が固定的に装着され、前記計量溝１０８の底壁の中にはスライド棒チャンバ１０５が連通するように設置され、前記スライド棒チャンバ１０５の底壁の中にはセンサ１０３が固定的に設置され、前記計量機構は処理装置６７と表示装置６８とを含み、前記駆動機構の上側には押し機構が設置され、前記押し機構は方向転換チャンバ６４とウォームホイール軸２６とを含み、前記通し溝２２の前側には付番機構が設置され、前記付番機構は下伝動チャンバ６９と印刷チャンバ２８とを含み、前記下伝動チャンバ６９の底壁の中には第二モータ７０が設置され、前記下伝動チャンバ６９の中には副プーリ７６が設置され、前記印刷チャンバ２８の中には方形輪３４と第一紙巻き輪３６とが設置され、前記印刷チャンバ２８の中には方形輪３４と付番輪３０とが設置され、前記第一紙巻き輪３６と第二紙巻き輪３２との間には前記方形輪３４に被られた印刷紙３３が連結されている。
【００１６】
有益的には、前記箱体１００の底部端面には支持脚１０１が左右対称に固定的に装着され、前記支持脚１０１の底部端面には支持板１０２が固定的に装着され、前記第一モータ６３の前側の出力軸の前側端面には主軸５７が伝動可能に連結され、前記主軸５７には押し主傘歯車６０が固定的に装着され、前記主軸５７の前側には第一プーリ５８が固定的に装着され、前記第二プーリ５９が前記主軸５７に固定的に装着され、且つ前記第一プーリ５９の前側に位置しており、左右の前記作動チャンバ４４と前記駆動チャンバ５５との間には連通したベルト溝５３が設置されている。
【００１７】
有益的には、左右の前記作動チャンバ４４の前側には置き溝３９が左右対称に設置され、前記伝送板１５が前記置き溝３９の中に設置され、左右の前記伝送板１５の中には伝送溝１６が設置され、左右の前記伝動板１５のうち相対した側の前後端面には支持軸３８が対称的に回転可能に装着され、前記伝送板１５と前記箱体１００とが回転可能に装着され、後側の前記支持軸３８が後に伸びて左右の前記作動チャンバ４４の中に位置しており、前記噛合歯車４８が後側の前記支持軸３８の後側端面に固定的に装着され、前記噛合歯車４８には歯車止め溝４９が設置され、前記作動チャンバ４４の中にはスプライン軸５４が回転可能に装着され、前記スプライン軸５４と前記噛合歯車４８とが回転可能に連結され、前記伝動輪５１が前記スプライン軸５４に固定的に装着され、左側の前記伝動輪５１と前記第二プーリ５９との間には第一ベルト５２が連結され、右側の前記伝動輪５１と前記第一プーリ５８との間には第二ベルト２１が連結され、前記止めスリーブ４５が前記スプライン軸５４にスライド可能に装着され、前記歯車止め溝４９が前記止めスリーブ４５の中に設置され、前記歯車止め溝４９の左右内壁の中には止めピン溝４６が対称的に設置され、前記止めピン溝４６の中には止めピン５６がスライド可能に装着され、前記止めピン５６のうち互いに離れた側の端面と、前記止めピン溝４６のうち互いに離れた側の内壁との間には押し動かしばね４７が固定的に装着され、前記作動チャンバ４４のうち互いに離れた側の内壁の中にはスライド溝４２が連通するように設置され、前記スライド溝４２の中にはスライダー４３がスライド可能に装着され、前記シリンダー４０が前記スライド溝４２の前側内壁の中に設置され、前記シリンダー４０の後側のピストン押棒にはシリンダー軸４１が固定的に連結され、前記シリンダー軸４１が前記スライダー４３に固定的に連結され、前記主動輪２０が上下の前記支持軸３８の間に固定的に装着され、左右の前記伝送板１５の前後内壁の間には補助軸１８が回転可能に装着され、前記従動輪１７が前記補助軸１８に固定的に装着されている。
【００１８】
有益的には、前記スライド棒チャンバ１０５の中にはスライド棒１０６がスライド可能に装着され、前記スライド棒１０６の頂部端面が前記計量台１２に固定的に連結され、前記計量台１２の底部端面と前記計量溝１０８の底壁との間には減圧ばね１０７が固定的に装着され、前記スライド棒１０６の底部端面と前記センサ１０３の頂部端面との間には圧縮ばね１０４が固定的に装着され、前記計量溝１０８の底壁には調節台１０９が固定的に装着され、前記ネジロッド２７が前記調節台１０９にねじ山により連結され、前記計量溝１０８の右側の内壁の斜壁には案内輪１４が一対に固定的に装着され、前記処理装置６７が前記計量溝１０８の前側に固定的に装着され、前記表示装置６８が前記箱体１００の前側端面に固定的に装着されている。
【００１９】
有益的には、前記方向転換チャンバ６４の上下内壁の間にはウォーム軸６２が回転可能に装着され、前記ウォーム軸６２の底端が前記駆動チャンバ５５の中に位置しており、且つ前記ウォーム軸６２の底端には副傘歯車６１が固定的に装着され、前記副傘歯車６１と前記押し主傘歯車６０とが噛み合っており、前記ウォーム軸６２にはウォーム６６が設置され、前記ウォームホイール軸２６が前記方向転換チャンバ６４の前後内壁の間に回転可能に連結され、前記ウォームホイール軸２６にはウォームホイール６５が固定的に装着され、前記ウォームホイール６５と前記ウォーム６６とが噛み合っており、前記ウォームホイール軸２６の前端が前記通し溝２２の中に位置しており、且つ前記ウォームホイール軸２６の前端には押し駆動棒クランク２５が固定的に装着され、前記通し溝２２の後側内壁には揺り軸２３がヒンジで連結され、前記揺り軸２３の上側末端には連結棒２４がヒンジで連結され、前記連結棒２４と前記押し駆動棒クランク２５とが回転可能に装着され、前記連結棒２４の左側末端には擦り板１１が固定的に装着され、前記押し駆動棒クランク２５と、前記連結棒２４と、前記揺り軸２３とが回転揺動機構に形成する。
【００２０】
有益的には、前記下伝動チャンバ６９が前記通し溝２２の前側に設置され、前記印刷チャンバ２８が前記下伝動チャンバ６９の上側に設置され、前記第二モータ７０の上側の出力軸の上側端面には駆動軸３１が固定的に連結され、前記駆動軸３１には主平歯車７１が固定的に装着され、前記駆動軸３１が上に前記印刷チャンバ２８の中に伸びて前記第二紙巻き輪３２と固定的に連結され、前記駆動軸３１の後側には保存輪軸３７が回転可能に装着され、前記第一紙巻き輪３６が前記保存輪軸３７に固定的に装着され、前記方形輪３４が前記保存輪軸３７の右側に回転可能に装着され、前記印刷紙３３が前記第一紙巻き輪３６に巻きつけられ、前記方形輪３４と前記第二紙巻き輪３２との間、及び前記方形輪３４と前記第一紙巻き輪３６との間において前記印刷紙３３の前後両側には印刷ヘッド３５が一対に固定的に装着され、前記印刷チャンバ２８の右側内壁の中には右方に開口した出口７７が設置され、前記駆動軸３１の後側には連結軸７３が回転可能に装着され、前記連結軸７３には中間歯車７２が固定的に装着され、前記中間歯車７２と前記主平歯車７１とが噛み合っており、前記連結軸７３において前記中間歯車７２の上側には主プーリ７４が固定的に装着され、前記下伝動チャンバ６９と前記印刷チャンバ２８との間には転輪軸２９が回転可能に装着され、前記副プーリ７６が前記転輪軸２９に固定的に装着され、前記副プーリ７６と前記主プーリ７４との間にはベルト７５が連結され、前記付番輪３０が前記転輪軸２９のうち前記印刷チャンバ２８の中に伸びた一端に固定的に設置されている。
【００２１】
使用する時、貨物を左側の伝送ベルト１９に置き、第一モータ６３を起動し、更に主傘歯車６０と、第一プーリ５８と第二プーリ５９をを回転連動させ、更に伝動輪１５を回転連動させ、更に従動輪１７と主動輪２０とを回転連動させ、更に伝送ベルト１９により貨物を計量台１２に移し、計量台１２がスライド棒１０６を押して下にスライドさせてセンサ１０３を押し、位置制限ブロック１３が貨物の重量データを処理装置６７の中に送り、処理装置６７がデータを処理して表示装置６８に表示し、計量が終わった後駆動軸３１により主平歯車７１と第二紙巻き輪３２とを回転連動させ、第二紙巻き輪３２が回転して印刷紙３３を引き動かし、方形輪３４が番号貼紙を付番輪３０に貼り、同時に主平歯車７１が回転して中間歯車７２と、主プーリ７４と、ベルト７５と副プーリ７６との伝動により付番輪３０を回転連動させ、付番輪３０が回転して貼紙を送り出し、同時に主傘歯車６０が回転して副傘歯車６１を回転連動させ、副傘歯車６１が回転してウォーム６６を回転連動させ、ウォーム６６が回転してウォームホイール６５を回転連動させ、ウォームホイール６５が回転して押し駆動棒クランク２５を回転連動させ、押し駆動棒クランク２５が回転して連結棒２４を揺動連動させ、連結棒２４が揺動して擦り板１１を連動させて貨物を計量台１２の上から右側の伝送ベルト１９に押し出し、計量が終わった後、シリンダー４０を起動し、シリンダー４０がスライダー４３を押し動かして前に運動させて止めピン５６と歯車止め溝４９とを止めることで、止めスリーブ溝５０が噛合歯車４８を回転連動させ、噛合歯車４８が回転して伝送板１５を納める。
【００２２】
本発明の有益効果は：本発明は構造が簡単で、操作が便利で、貨物送り機構により貨物を運搬して労働量を減らすと同時に、計量が終わった後装置を収納でき、専用空間を減少し、付番機構により計量される貨物と計量のデータを一々対応し、よりよくデータを管理且つ分析でき、計量データが混合するのを防止でき、処理装置は各部品を制御し、本発明の作動性能を保証し、宣伝価値がある。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020177006.tif 000003
【図２】
2020177006.tif 000004
【図３】
2020177006.tif 000005
【手続補正書】
【提出日】令和2年8月14日(2020.8.14)
【手続補正１】
【補正対象書類名】特許請求の範囲
【補正対象項目名】請求項３
【補正方法】変更
【補正の内容】
【請求項３】
左右の前記作動チャンバの前側には置き溝が左右対称に設置され、前記伝送板が前記置き溝の中に設置され、左右の前記伝送板の中には伝送溝が設置され、左右の前記伝送板のうち相対した側の前後端面には支持軸が対称的に回転可能に装着され、前記伝送板と前記箱体とが回転可能に装着され、後側の前記支持軸が後に伸びて左右の前記作動チャンバの中に位置しており、前記噛合歯車が後側の前記支持軸の後側端面に固定的に装着され、前記噛合歯車には歯車止め溝が設置され、前記作動チャンバの中にはスプライン軸が回転可能に装着され、前記スプライン軸と前記噛合歯車とが回転可能に連結され、前記伝動輪が前記スプライン軸に固定的に装着され、左側の前記伝動輪と前記第二プーリとの間には第一ベルトが連結され、右側の前記伝動輪と前記第一プーリとの間には第二ベルトが連結され、前記止めスリーブが前記スプライン軸にスライド可能に装着され、前記歯車止め溝が前記止めスリーブの中に設置され、前記歯車止め溝の左右内壁の中には止めピン溝が対称的に設置され、前記止めピン溝の中には止めピンがスライド可能に装着され、前記止めピンのうち互いに離れた側の端面と、前記止めピン溝のうち互いに離れた側の内壁との間には押し動かしばねが固定的に装着され、前記作動チャンバのうち互いに離れた側の内壁の中にはスライド溝が連通するように設置され、前記スライド溝の中にはスライダーがスライド可能に装着され、前記シリンダーが前記スライド溝の前側内壁の中に設置され、前記シリンダーの後側のピストン押棒にはシリンダー軸が固定的に連結され、前記シリンダー軸が前記スライダーに固定的に連結され、前記主動輪が上下の前記支持軸の間に固定的に装着され、左右の前記伝送板の前後内壁の間には補助軸が回転可能に装着され、前記従動輪が前記補助軸に固定的に装着されていることを特徴とする請求項１に記載のマッキング機能を有する重量測定装置。
【手続補正２】
【補正対象書類名】明細書
【補正対象項目名】全文
【補正方法】変更
【補正の内容】
【発明の詳細な説明】
【技術分野】
【０００１】
本発明は重量測定技術分野に関し、具体的にはマッキング機能を有する重量測定装置に関する。
【背景技術】
【０００２】
現在、多数の工場内で貨物の出入りの際に検査を行う時、一般に重量測定の方式で貨物を検査し、大型貨物の場合はトラックスケールで重量を測定し、小型の貨物は一般に携帯に便利な電子スケールを使うのであり、しかし、大きいとは言えなくてもいくつかの部分に分けられないサイズ上に微妙な貨物に対し、マッキング機能を持つ重量測定装置はないため、人力で貨物を載せる又は降ろすしかなく、時間と手数を無駄にし、重量測定が終わった後データを貨物と対応できなく、繰り返して重量を測定する現象になり、労働量を減らすために自動的に貨物を載せる又は降ろすマッキング機能を有する重量測定装置が実に必要になり、中央処理装置を使って装置の各部品を制御し、重量測定の終わった貨物をその重量データを一々対応すれば、専用空間を減らせる。
【先行技術文献】
【特許文献】
【０００３】
【特許文献１】中国特許出願公開第１０５８９０７３３号明細書
【発明の概要】
【発明が解決しようとする課題】
【０００４】
本発明の目的はマッキング機能を有する重量測定装置を提供し、上記背景技術に提出される問題を解決する。
【課題を解決するための手段】
【０００５】
本発明において提供する実施例は：マッキング機能を有する重量測定装置は、駆動機構を含み、前記駆動機構は箱体を含み、前記箱体の中には駆動チャンバが設置され、前記駆動チャンバの後側内壁の中には第一モータが固定的に装着され、前記駆動チャンバの中には第一プーリと第二プーリが設置され、前記第二プーリと前記第一プーリには貨物送り機構が連結され、前記貨物送り機構は左右対称に設置された作動チャンバと伝送板とを含み、前記作動チャンバの中には止めスリーブと伝動輪とが設置され、前記伝送板の中には従動輪と主動輪とが設置され、前記従動輪と前記主動輪との間には伝送ベルトが連結され、前記貨物送り機構はまたシリンダーと噛合歯車を含み、前記止めスリーブは前記噛合歯車を止められ、前記駆動機構の前側には計量機構が設置され、前記計量機構は前記箱体の中に左右に貫通するように設置された通し溝を含み、前記通し溝の底壁には計量溝が連通するように設置され、前記通し溝の中には計量台が設置され、前記計量溝の中にはネジロッドが設置され、前記ネジロッドには位置制限ブロックが固定的に装着され、前記計量溝の底壁の中にはスライド棒チャンバが連通するように設置され、前記スライド棒チャンバの底壁の中にはセンサが固定的に設置され、前記計量機構は処理装置と表示装置とを含み、前記駆動機構の上側には押し機構が設置され、前記押し機構は方向転換チャンバとウォームホイール軸とを含み、前記通し溝の前側には付番機構が設置され、前記付番機構は下伝動チャンバと印刷チャンバとを含み、前記下伝動チャンバの底壁の中には第二モータが設置され、前記下伝動チャンバの中には副プーリが設置され、前記印刷チャンバの中には方形輪と第一紙巻き輪とが設置され、前記印刷チャンバの中には方形輪と付番輪とが設置され、前記第一紙巻き輪と第二紙巻き輪との間には前記方形輪に被られた印刷紙が連結されている。
【０００６】
更なる技術方案、前記箱体の底部端面には支持脚が左右対称に固定的に装着され、前記支持脚の底部端面には支持板が固定的に装着され、前記第一モータの前側の出力軸の前側端面には主軸が伝動可能に連結され、前記主軸には押し主傘歯車が固定的に装着され、前記主軸の前側には第一プーリが固定的に装着され、前記第二プーリが前記主軸に固定的に装着され、且つ前記第一プーリの前側に位置しており、左右の前記作動チャンバと前記駆動チャンバとの間には連通したベルト溝が設置されている。
【０００７】
更なる技術方案、左右の前記作動チャンバの前側には置き溝が左右対称に設置され、前記伝送板が前記置き溝の中に設置され、左右の前記伝送板の中には伝送溝が設置され、左右の前記伝送板のうち相対した側の前後端面には支持軸が対称的に回転可能に装着され、前記伝送板と前記箱体とが回転可能に装着され、後側の前記支持軸が後に伸びて左右の前記作動チャンバの中に位置しており、前記噛合歯車が後側の前記支持軸の後側端面に固定的に装着され、前記噛合歯車には歯車止め溝が設置され、前記作動チャンバの中にはスプライン軸が回転可能に装着され、前記スプライン軸と前記噛合歯車とが回転可能に連結され、前記伝動輪が前記スプライン軸に固定的に装着され、左側の前記伝動輪と前記第二プーリとの間には第一ベルトが連結され、右側の前記伝動輪と前記第一プーリとの間には第二ベルトが連結され、前記止めスリーブが前記スプライン軸にスライド可能に装着され、前記歯車止め溝が前記止めスリーブの中に設置され、前記歯車止め溝の左右内壁の中には止めピン溝が対称的に設置され、前記止めピン溝の中には止めピンがスライド可能に装着され、前記止めピンのうち互いに離れた側の端面と、前記止めピン溝のうち互いに離れた側の内壁との間には押し動かしばねが固定的に装着され、前記作動チャンバのうち互いに離れた側の内壁の中にはスライド溝が連通するように設置され、前記スライド溝の中にはスライダーがスライド可能に装着され、前記シリンダーが前記スライド溝の前側内壁の中に設置され、前記シリンダーの後側のピストン押棒にはシリンダー軸が固定的に連結され、前記シリンダー軸が前記スライダーに固定的に連結され、前記主動輪が上下の前記支持軸の間に固定的に装着され、左右の前記伝送板の前後内壁の間には補助軸が回転可能に装着され、前記従動輪が前記補助軸に固定的に装着されている。
【０００８】
更なる技術方案、前記スライド棒チャンバの中にはスライド棒がスライド可能に装着され、前記スライド棒の頂部端面が前記計量台に固定的に連結され、前記計量台の底部端面と前記計量溝の底壁との間には減圧ばねが固定的に装着され、前記スライド棒の底部端面と前記センサの頂部端面との間には圧縮ばねが固定的に装着され、前記計量溝の底壁には調節台が固定的に装着され、前記ネジロッドが前記調節台にねじ山により連結され、前記計量溝の右側の内壁の斜壁には案内輪が一対に固定的に装着され、前記処理装置が前記計量溝の前側に固定的に装着され、前記表示装置が前記箱体の前側端面に固定的に装着されている。
【０００９】
更なる技術方案、前記方向転換チャンバの上下内壁の間にはウォーム軸が回転可能に装着され、前記ウォーム軸の底端が前記駆動チャンバの中に位置しており、且つ前記ウォーム軸の底端には副傘歯車が固定的に装着され、前記副傘歯車と前記押し主傘歯車とが噛み合っており、前記ウォーム軸にはウォームが設置され、前記ウォームホイール軸が前記方向転換チャンバの前後内壁の間に回転可能に連結され、前記ウォームホイール軸にはウォームホイールが固定的に装着され、前記ウォームホイールと前記ウォームとが噛み合っており、前記ウォームホイール軸の前端が前記通し溝の中に位置しており、且つ前記ウォームホイール軸の前端には押し駆動棒クランクが固定的に装着され、前記通し溝の後側内壁には揺り軸がヒンジで連結され、前記揺り軸の上側末端には連結棒がヒンジで連結され、前記連結棒と前記押し駆動棒クランクとが回転可能に装着され、前記連結棒の左側末端には擦り板が固定的に装着され、前記押し駆動棒クランクと、前記連結棒と、前記揺り軸とが回転揺動機構に形成する。
【００１０】
更なる技術方案、前記下伝動チャンバが前記通し溝の前側に設置され、前記印刷チャンバが前記下伝動チャンバの上側に設置され、前記第二モータの上側の出力軸の上側端面には駆動軸が固定的に連結され、前記駆動軸には主平歯車が固定的に装着され、前記駆動軸が上に前記印刷チャンバの中に伸びて前記第二紙巻き輪と固定的に連結され、前記駆動軸の後側には保存輪軸が回転可能に装着され、前記第一紙巻き輪が前記保存輪軸に固定的に装着され、前記方形輪が前記保存輪軸の右側に回転可能に装着され、前記印刷紙が前記第一紙巻き輪に巻きつけられ、前記方形輪と前記第二紙巻き輪との間、及び前記方形輪と前記第一紙巻き輪との間において前記印刷紙の前後両側には印刷ヘッドが一対に固定的に装着され、前記印刷チャンバの右側内壁の中には右方に開口した出口が設置され、前記駆動軸の後側には連結軸が回転可能に装着され、前記連結軸には中間歯車が固定的に装着され、前記中間歯車と前記主平歯車とが噛み合っており、前記連結軸において前記中間歯車の上側には主プーリが固定的に装着され、前記下伝動チャンバと前記印刷チャンバとの間には転輪軸が回転可能に装着され、前記副プーリが前記転輪軸に固定的に装着され、前記副プーリと前記主プーリとの間にはベルトが連結され、前記付番輪が前記転輪軸のうち前記印刷チャンバの中に伸びた一端に固定的に設置されている。
【発明の効果】
【００１１】
本発明の有益効果は：本発明は構造が簡単で、操作が便利で、貨物送り機構により貨物を運搬して労働量を減らすと同時に、計量が終わった後装置を収納でき、専用空間を減少し、付番機構により計量される貨物と計量のデータを一々対応し、よりよくデータを管理且つ分析でき、計量データが混合するのを防止でき、処理装置は各部品を制御し、本発明の作動性能を保証し、宣伝価値がある。
【図面の簡単な説明】
【００１２】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明の全体構造略図
【図２】図２は図１におけるＡ―Ａ方向の断面構造略図
【図３】図３は図１におけるＢ―Ｂ方向の断面構造略図
【発明を実施するための形態】
【００１４】
本説明書によって公開されるすべての特徴、或いは公開されるすべての方法或いは過程中の順序は、互いに排斥する特徴或いは順序以外、いかなる方法で組み合わせる。
【００１５】
図１〜３を参照し、本発明は下記の実施例を提供する：マッキング機能を有する重量測定装置であって、駆動機構を含み、前記駆動機構は箱体１００を含み、前記箱体１００の中には駆動チャンバ５５が設置され、前記駆動チャンバ５５の後側内壁の中には第一モータ６３が固定的に装着され、前記駆動チャンバ５５の中には第一プーリ５８と第二プーリ５９が設置され、前記第二プーリ５９と前記第一プーリ５８には貨物送り機構が連結され、前記貨物送り機構は左右対称に設置された作動チャンバ４４と伝送板１５とを含み、前記作動チャンバ４４の中には止めスリーブ４５と伝動輪５１とが設置され、前記伝送板１５の中には従動輪１７と主動輪２０とが設置され、前記従動輪１７と前記主動輪２０との間には伝送ベルト１９が連結され、前記貨物送り機構はまたシリンダー４０と噛合歯車４８を含み、前記止めスリーブ４５は前記噛合歯車４８を止められ、前記駆動機構の前側には計量機構が設置され、前記計量機構は前記箱体１００の中に左右に貫通するように設置された通し溝２２を含み、前記通し溝２２の底壁には計量溝１０８が連通するように設置され、前記通し溝２２の中には計量台１２が設置され、前記計量溝１０８の中にはネジロッド２７が設置され、前記ネジロッド２７には位置制限ブロック１３が固定的に装着され、前記計量溝１０８の底壁の中にはスライド棒チャンバ１０５が連通するように設置され、前記スライド棒チャンバ１０５の底壁の中にはセンサ１０３が固定的に設置され、前記計量機構は処理装置６７と表示装置６８とを含み、前記駆動機構の上側には押し機構が設置され、前記押し機構は方向転換チャンバ６４とウォームホイール軸２６とを含み、前記通し溝２２の前側には付番機構が設置され、前記付番機構は下伝動チャンバ６９と印刷チャンバ２８とを含み、前記下伝動チャンバ６９の底壁の中には第二モータ７０が設置され、前記下伝動チャンバ６９の中には副プーリ７６が設置され、前記印刷チャンバ２８の中には方形輪３４と第一紙巻き輪３６とが設置され、前記印刷チャンバ２８の中には方形輪３４と付番輪３０とが設置され、前記第一紙巻き輪３６と第二紙巻き輪３２との間には前記方形輪３４に被られた印刷紙３３が連結されている。
【００１６】
有益的には、前記箱体１００の底部端面には支持脚１０１が左右対称に固定的に装着され、前記支持脚１０１の底部端面には支持板１０２が固定的に装着され、前記第一モータ６３の前側の出力軸の前側端面には主軸５７が伝動可能に連結され、前記主軸５７には押し主傘歯車６０が固定的に装着され、前記主軸５７の前側には第一プーリ５８が固定的に装着され、前記第二プーリ５９が前記主軸５７に固定的に装着され、且つ前記第一プーリ５９の前側に位置しており、左右の前記作動チャンバ４４と前記駆動チャンバ５５との間には連通したベルト溝５３が設置されている。
【００１７】
有益的には、左右の前記作動チャンバ４４の前側には置き溝３９が左右対称に設置され、前記伝送板１５が前記置き溝３９の中に設置され、左右の前記伝送板１５の中には伝送溝１６が設置され、左右の前記伝送板１５のうち相対した側の前後端面には支持軸３８が対称的に回転可能に装着され、前記伝送板１５と前記箱体１００とが回転可能に装着され、後側の前記支持軸３８が後に伸びて左右の前記作動チャンバ４４の中に位置しており、前記噛合歯車４８が後側の前記支持軸３８の後側端面に固定的に装着され、前記噛合歯車４８には歯車止め溝４９が設置され、前記作動チャンバ４４の中にはスプライン軸５４が回転可能に装着され、前記スプライン軸５４と前記噛合歯車４８とが回転可能に連結され、前記伝動輪５１が前記スプライン軸５４に固定的に装着され、左側の前記伝動輪５１と前記第二プーリ５９との間には第一ベルト５２が連結され、右側の前記伝動輪５１と前記第一プーリ５８との間には第二ベルト２１が連結され、前記止めスリーブ４５が前記スプライン軸５４にスライド可能に装着され、前記歯車止め溝４９が前記止めスリーブ４５の中に設置され、前記歯車止め溝４９の左右内壁の中には止めピン溝４６が対称的に設置され、前記止めピン溝４６の中には止めピン５６がスライド可能に装着され、前記止めピン５６のうち互いに離れた側の端面と、前記止めピン溝４６のうち互いに離れた側の内壁との間には押し動かしばね４７が固定的に装着され、前記作動チャンバ４４のうち互いに離れた側の内壁の中にはスライド溝４２が連通するように設置され、前記スライド溝４２の中にはスライダー４３がスライド可能に装着され、前記シリンダー４０が前記スライド溝４２の前側内壁の中に設置され、前記シリンダー４０の後側のピストン押棒にはシリンダー軸４１が固定的に連結され、前記シリンダー軸４１が前記スライダー４３に固定的に連結され、前記主動輪２０が上下の前記支持軸３８の間に固定的に装着され、左右の前記伝送板１５の前後内壁の間には補助軸１８が回転可能に装着され、前記従動輪１７が前記補助軸１８に固定的に装着されている。
【００１８】
有益的には、前記スライド棒チャンバ１０５の中にはスライド棒１０６がスライド可能に装着され、前記スライド棒１０６の頂部端面が前記計量台１２に固定的に連結され、前記計量台１２の底部端面と前記計量溝１０８の底壁との間には減圧ばね１０７が固定的に装着され、前記スライド棒１０６の底部端面と前記センサ１０３の頂部端面との間には圧縮ばね１０４が固定的に装着され、前記計量溝１０８の底壁には調節台１０９が固定的に装着され、前記ネジロッド２７が前記調節台１０９にねじ山により連結され、前記計量溝１０８の右側の内壁の斜壁には案内輪１４が一対に固定的に装着され、前記処理装置６７が前記計量溝１０８の前側に固定的に装着され、前記表示装置６８が前記箱体１００の前側端面に固定的に装着されている。
【００１９】
有益的には、前記方向転換チャンバ６４の上下内壁の間にはウォーム軸６２が回転可能に装着され、前記ウォーム軸６２の底端が前記駆動チャンバ５５の中に位置しており、且つ前記ウォーム軸６２の底端には副傘歯車６１が固定的に装着され、前記副傘歯車６１と前記押し主傘歯車６０とが噛み合っており、前記ウォーム軸６２にはウォーム６６が設置され、前記ウォームホイール軸２６が前記方向転換チャンバ６４の前後内壁の間に回転可能に連結され、前記ウォームホイール軸２６にはウォームホイール６５が固定的に装着され、前記ウォームホイール６５と前記ウォーム６６とが噛み合っており、前記ウォームホイール軸２６の前端が前記通し溝２２の中に位置しており、且つ前記ウォームホイール軸２６の前端には押し駆動棒クランク２５が固定的に装着され、前記通し溝２２の後側内壁には揺り軸２３がヒンジで連結され、前記揺り軸２３の上側末端には連結棒２４がヒンジで連結され、前記連結棒２４と前記押し駆動棒クランク２５とが回転可能に装着され、前記連結棒２４の左側末端には擦り板１１が固定的に装着され、前記押し駆動棒クランク２５と、前記連結棒２４と、前記揺り軸２３とが回転揺動機構に形成する。
【００２０】
有益的には、前記下伝動チャンバ６９が前記通し溝２２の前側に設置され、前記印刷チャンバ２８が前記下伝動チャンバ６９の上側に設置され、前記第二モータ７０の上側の出力軸の上側端面には駆動軸３１が固定的に連結され、前記駆動軸３１には主平歯車７１が固定的に装着され、前記駆動軸３１が上に前記印刷チャンバ２８の中に伸びて前記第二紙巻き輪３２と固定的に連結され、前記駆動軸３１の後側には保存輪軸３７が回転可能に装着され、前記第一紙巻き輪３６が前記保存輪軸３７に固定的に装着され、前記方形輪３４が前記保存輪軸３７の右側に回転可能に装着され、前記印刷紙３３が前記第一紙巻き輪３６に巻きつけられ、前記方形輪３４と前記第二紙巻き輪３２との間、及び前記方形輪３４と前記第一紙巻き輪３６との間において前記印刷紙３３の前後両側には印刷ヘッド３５が一対に固定的に装着され、前記印刷チャンバ２８の右側内壁の中には右方に開口した出口７７が設置され、前記駆動軸３１の後側には連結軸７３が回転可能に装着され、前記連結軸７３には中間歯車７２が固定的に装着され、前記中間歯車７２と前記主平歯車７１とが噛み合っており、前記連結軸７３において前記中間歯車７２の上側には主プーリ７４が固定的に装着され、前記下伝動チャンバ６９と前記印刷チャンバ２８との間には転輪軸２９が回転可能に装着され、前記副プーリ７６が前記転輪軸２９に固定的に装着され、前記副プーリ７６と前記主プーリ７４との間にはベルト７５が連結され、前記付番輪３０が前記転輪軸２９のうち前記印刷チャンバ２８の中に伸びた一端に固定的に設置されている。
【００２１】
使用する時、貨物を左側の伝送ベルト１９に置き、第一モータ６３を起動し、更に主傘歯車６０と、第一プーリ５８と第二プーリ５９をを回転連動させ、更に伝動輪１５を回転連動させ、更に従動輪１７と主動輪２０とを回転連動させ、更に伝送ベルト１９により貨物を計量台１２に移し、計量台１２がスライド棒１０６を押して下にスライドさせてセンサ１０３を押し、位置制限ブロック１３が貨物の重量データを処理装置６７の中に送り、処理装置６７がデータを処理して表示装置６８に表示し、計量が終わった後駆動軸３１により主平歯車７１と第二紙巻き輪３２とを回転連動させ、第二紙巻き輪３２が回転して印刷紙３３を引き動かし、方形輪３４が番号貼紙を付番輪３０に貼り、同時に主平歯車７１が回転して中間歯車７２と、主プーリ７４と、ベルト７５と副プーリ７６との伝動により付番輪３０を回転連動させ、付番輪３０が回転して貼紙を送り出し、同時に主傘歯車６０が回転して副傘歯車６１を回転連動させ、副傘歯車６１が回転してウォーム６６を回転連動させ、ウォーム６６が回転してウォームホイール６５を回転連動させ、ウォームホイール６５が回転して押し駆動棒クランク２５を回転連動させ、押し駆動棒クランク２５が回転して連結棒２４を揺動連動させ、連結棒２４が揺動して擦り板１１を連動させて貨物を計量台１２の上から右側の伝送ベルト１９に押し出し、計量が終わった後、シリンダー４０を起動し、シリンダー４０がスライダー４３を押し動かして前に運動させて止めピン５６と歯車止め溝４９とを止めることで、止めスリーブ溝５０が噛合歯車４８を回転連動させ、噛合歯車４８が回転して伝送板１５を納める。
【００２２】
本発明の有益効果は：本発明は構造が簡単で、操作が便利で、貨物送り機構により貨物を運搬して労働量を減らすと同時に、計量が終わった後装置を収納でき、専用空間を減少し、付番機構により計量される貨物と計量のデータを一々対応し、よりよくデータを管理且つ分析でき、計量データが混合するのを防止でき、処理装置は各部品を制御し、本発明の作動性能を保証し、宣伝価値がある。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。